(57)【要約】【課題】サーバが経路探索に有効な情報を配信することによって、車載装置において渋滞を回避可能な経路を探索することができるようにする。【解決手段】交通情報を格納する交通情報データベースと、所定のエリア毎に登録されたリンクを示すリンクグループテーブルを格納するリンクグループデータベースと、目的地までの複数の経路を探索し、該経路が前記エリアを通過する場合、該エリアを通過する時刻を基準時刻として算出する探索処理部と、前記エリア毎に、前記交通情報に基づいて、前記基準時刻における予測交通情報を作成する予測処理部とを有する。【選択図】図１
2005265722.tif 000002
【特許請求の範囲】
【請求項１】
（ａ）交通情報を格納する交通情報データベースと、
（ｂ）所定のエリア毎に登録されたリンクを示すリンクグループテーブルを格納するリンクグループデータベースと、
（ｃ）目的地までの複数の経路を探索し、該経路が前記エリアを通過する場合、該エリアを通過する時刻を基準時刻として算出する探索処理部と、
（ｄ）前記エリア毎に、前記交通情報に基づいて、前記基準時刻における予測交通情報を作成する予測処理部とを有することを特徴とするナビゲーションシステム。
【請求項２】
（ａ）交通情報を格納する交通情報データベースと、
（ｂ）都市高速道路を分割したグループに登録されたリンクを示すリンクグループテーブルを格納するリンクグループデータベースと、
（ｃ）目的地までの複数の経路を探索し、該経路が前記グループを通過する場合、該グループを通過する時刻を基準時刻として算出する探索処理部と、
（ｄ）前記グループ毎に、前記交通情報に基づいて、前記基準時刻における予測交通情報を作成する予測処理部とを有することを特徴とするナビゲーションシステム。
【請求項３】
前記予測処理部は、前記交通情報データベースに格納されたリンク旅行時間パターンに基づいて予測リンク旅行時間パターンを作成し、該予測リンク旅行時間パターンに基づいて予測交通情報を作成する請求項２に記載のナビゲーションシステム。
【請求項４】
前記予測処理部は、同一のグループに登録されたすべてのリンクについて、同一の基準時刻で予測交通情報を作成する請求項２又は３に記載のナビゲーションシステム。
【請求項５】
（ａ）前記リンクグループデータベースは、予測交通情報を作成する必要があるグループの関連を定義する関連グループテーブルを格納し、
（ｂ）前記予測処理部は、前記経路が複数のグループを通過する場合、前記関連グループテーブルにおいて定義されたすべてのグループについて、予測交通情報を作成する請求項２〜４のいずれか１項に記載のナビゲーションシステム。
【請求項６】
前記関連グループテーブルは、予測交通情報を作成するグループ及び同一の基準時刻を使用するグループを定義する請求項５に記載のナビゲーションシステム。
【請求項７】
（ａ）交通情報を格納する交通情報データベース、
（ｂ）都市高速道路を分割したグループに登録されたリンクを示すリンクグループテーブルを格納するリンクグループデータベース、
（ｃ）目的地までの複数の経路を探索し、該経路が前記グループを通過する場合、該グループを通過する時刻を基準時刻として算出する探索処理部、及び、
（ｄ）前記グループ毎に、前記交通情報に基づいて、前記基準時刻における予測交通情報を作成する予測処理部を備え、作成された予測交通情報を配信するサーバと、
（ｅ）配信された前記予測交通情報を使用して、前記目的地までの経路を探索する車載装置とを有することを特徴とするナビゲーションシステム。
【発明の詳細な説明】
【技術分野】
【０００１】
本発明は、ナビゲーションシステムに関するものである。
【背景技術】
【０００２】
従来、自動車等の車両に搭載されたナビゲーション装置においては、運転者等の操作者が所定の入力部を操作して目的地を設定すると、該目的地、及び、現在位置検出処理部によって検出された車両の現在位置に基づいて、該現在位置から目的地までの経路が探索され、探索された経路が案内される。この場合、前記現在位置から目的地までの距離が最短となるように経路を探索したり、所要時間が最短となるように経路を探索するようになっている。
【０００３】
また、道路の渋滞情報を受信して渋滞区間を避けた最適な経路を探索することができるように、道路交通情報をナビゲーション装置に送信するシステムも提供されている（例えば、特許文献１参照。）。例えば、ＶＩＣＳ（Ｖｅｈｉｃｌｅ  Ｉｎｆｏｒｍａｔｉｏｎ  ＆  Ｃｏｍｍｕｎｉｃａｔｉｏｎ  Ｓｙｓｔｅｍ）（Ｒ）と称される道路交通情報通信システムにおいては、警察、日本道路公団等の交通管制システムの情報を収集して、道路の渋滞等に関する情報や交通規制情報等の道路交通情報を作成し、これを通信手段によって、ナビゲーション装置に送信するようになっている。そして、前記道路交通情報を受信したナビゲーション装置は、前記道路交通情報に基づいて、所要時間が最短となるように経路を探索するようになっている。
【特許文献１】特開平８−３３８７３６号公報
【発明の開示】
【発明が解決しようとする課題】
【０００４】
しかしながら、前記従来のシステムにおいては、受信することができる道路交通情報があらかじめ設定された所定範囲内に関する現況の情報であった。例えば、前記ＶＩＣＳ（Ｒ）によって送信される道路交通情報は、一般的に現在位置から数十〔ｋｍ〕程度先の範囲内に関する現況の情報である。そのため、前記交通情報を利用して経路探索を行っても現在位置から遠い場所の情報については、実際に通過する時には、交通状況が変化しており、所要時間が最短となる経路を必ずしも探索することができなかった。
【０００５】
本発明は、前記従来のシステムの問題点を解決して、サーバが経路探索に有効な情報を配信することによって、車載装置において渋滞を回避可能な経路を探索することができるナビゲーションシステムを提供することを目的とする。
【課題を解決するための手段】
【０００６】
そのために、本発明のナビゲーションシステムにおいては、交通情報を格納する交通情報データベースと、所定のエリア毎に登録されたリンクを示すリンクグループテーブルを格納するリンクグループデータベースと、目的地までの複数の経路を探索し、該経路が前記エリアを通過する場合、該エリアを通過する時刻を基準時刻として算出する探索処理部と、前記エリア毎に、前記交通情報に基づいて、前記基準時刻における予測交通情報を作成する予測処理部とを有する。
【０００７】
本発明の他のナビゲーションシステムにおいては、交通情報を格納する交通情報データベースと、都市高速道路を分割したグループに登録されたリンクを示すリンクグループテーブルを格納するリンクグループデータベースと、目的地までの複数の経路を探索し、該経路が前記グループを通過する場合、該グループを通過する時刻を基準時刻として算出する探索処理部と、前記グループ毎に、前記交通情報に基づいて、前記基準時刻における予測交通情報を作成する予測処理部とを有する。
【０００８】
本発明の更に他のナビゲーションシステムにおいては、さらに、前記予測処理部は、前記交通情報データベースに格納されたリンク旅行時間パターンに基づいて予測リンク旅行時間パターンを作成し、該予測リンク旅行時間パターンに基づいて予測交通情報を作成する。
【０００９】
本発明の更に他のナビゲーションシステムにおいては、さらに、前記予測処理部は、同一のグループに登録されたすべてのリンクについて、同一の基準時刻で予測交通情報を作成する。
【００１０】
本発明の更に他のナビゲーションシステムにおいては、さらに、前記リンクグループデータベースは、予測交通情報を作成する必要があるグループの関連を定義する関連グループテーブルを格納し、前記予測処理部は、前記経路が複数のグループを通過する場合、前記関連グループテーブルにおいて定義されたすべてのグループについて、予測交通情報を作成する。
【００１１】
本発明の更に他のナビゲーションシステムにおいては、さらに、前記関連グループテーブルは、予測交通情報を作成するグループ及び同一の基準時刻を使用するグループを定義する。
【００１２】
本発明の更に他のナビゲーションシステムにおいては、交通情報を格納する交通情報データベース、都市高速道路を分割したグループに登録されたリンクを示すリンクグループテーブルを格納するリンクグループデータベース、目的地までの複数の経路を探索し、該経路が前記グループを通過する場合、該グループを通過する時刻を基準時刻として算出する探索処理部、及び、前記グループ毎に、前記交通情報に基づいて、前記基準時刻における予測交通情報を作成する予測処理部を備え、作成された予測交通情報を配信するサーバと、配信された前記予測交通情報を使用して、前記目的地までの経路を探索する車載装置とを有する。
【発明の効果】
【００１３】
本発明によれば、サーバが経路探索に有効な情報を配信するようになっている。そのため、車載装置において渋滞を回避可能な経路を探索することができる。
【発明を実施するための最良の形態】
【００１４】
以下、本発明の実施の形態について図面を参照しながら詳細に説明する。
【００１５】
図２は本発明の実施の形態におけるナビゲーションシステムの構成を示す図である。
【００１６】
図において、１１はサーバとしての情報提供サーバであり、ＣＰＵ、ＭＰＵ等の演算手段、半導体メモリ、磁気ディスク、光ディスク等の記憶手段、通信インターフェイス等を備えるコンピュータの中に構成される。なお、該コンピュータは単一のコンピュータではなく、複数のコンピュータが有機的に結合された、いわゆる、分散型サーバであってもよい。また、前記コンピュータの中に他のシステムが構築されていてもよい。さらに、前記情報提供サーバ１１は、他のコンピュータの中に構築されたシステムの一つであってもよい。
【００１７】
そして、３１はユーザとしての操作者によって操作される車載装置であり、乗用車、トラック、バス、オートバイ等の車両に搭載される。なお、車載装置は、実際には多数であるが、本実施の形態においては、説明の都合上、前記車載装置３１で代表する。また、前記操作者は、例えば、前記車両の運転者、同乗者等であるが、いかなる者であってもよい。
【００１８】
なお、前記車載装置３１は、ＣＰＵ、ＭＰＵ等の演算装置、半導体メモリ、磁気ディスク、光ディスク等の記憶装置、液晶ディスプレイ、ＬＥＤ（Ｌｉｇｈｔ  Ｅｍｉｔｔｉｎｇ  Ｄｉｏｄｅ）ディスプレイ、ＣＲＴ等の表示装置、キーボード、ジョイスティック、十字キー、押しボタン、リモートコントローラ、タッチパネル等の入力装置、前記表示装置を制御する表示制御装置、及び、通信インターフェイス等の送受信部を備える。前記車載装置３１は、例えば、ナビゲーション装置であるが、据え置き電話機、携帯電話機、ＰＨＳ（Ｐｅｒｓｏｎａｌ  Ｈａｎｄｙ−Ｐｈｏｎｅ  Ｓｙｓｔｅｍ）電話機、携帯情報端末、ＰＤＡ（Ｐｅｒｓｏｎａｌ  Ｄｉｇｉｔａｌ  Ａｓｓｉｓｔａｎｔ）、パーソナルコンピュータ、ゲーム機、デジタルテレビ等いかなるものであってもよい。
【００１９】
さらに、前記車載装置３１は、図示されない現在位置検出装置を有する。該現在位置検出装置は、前記車載装置３１が、例えば、ナビゲーション装置である場合、一般的には、ＧＰＳ（Ｇｌｏｂａｌ  Ｐｏｓｉｔｉｏｎｉｎｇ  Ｓｙｓｔｅｍ）、地磁気センサ、距離センサ、ステアリングセンサ、ビーコンセンサ、ジャイロセンサ等によって現在位置を検出する。また、例えば、携帯電話機、携帯情報端末等である場合、一般的には、該携帯電話機、携帯情報端末等が在圏する基地局との通信に基づいて、該基地局の位置を現在位置として検出する。
【００２０】
なお、本実施の形態においては、車載装置３１がナビゲーション装置である場合について説明する。この場合、前記車載装置３１は、通常のナビゲーション装置と同様に、施設や地点を検索する検索機能及び経路を探索する探索機能を有する。該探索機能によって、前記車載装置３１は、交通情報を利用して交通規制及び渋滞を回避する経路探索としてのＤＲＧ（Ｄｙｎａｍｉｃ  Ｒｏｕｔｅ  Ｇｕｉｄａｎｃｅ）を行うことができるようになっている。
【００２１】
ここで、前記情報提供サーバ１１と車載装置３１とは、図示されないネットワークを介して相互に通信可能に接続される。なお、該ネットワークは、有線又は無線の公衆通信回線網、専用通信回線網、携帯電話回線網、インターネット、イントラネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、衛星通信回線網等いかなる通信回線網であってもよく、これらを適宜組み合わせたものであってもよい。また、放送衛星によるＣＳ放送やＢＳ放送を利用して通信してもよく、地上波デジタルテレビ放送を利用して通信してもよく、ＦＭ多重放送を利用して通信してもよく、また、道路脇（わき）に設置されている光ビーコンや電波ビーコンを利用して通信してもよい。
【００２２】
そして、本実施の形態におけるナビゲーションシステムは、前記情報提供サーバ１１と車載装置３１とによって構成される。この場合、前記操作者は、あらかじめ前記ナビゲーションシステムに登録され、登録ＩＤを所有する者であることが望ましい。また、前記車載装置３１も登録されていることが望ましい。
【００２３】
ここで、前記情報提供サーバ１１は、機能の観点から、予測交通情報としての渋滞予測情報を作成するために必要なデータを格納するデータ部１２、及び、該データ部１２にアクセスして必要なデータを取得して渋滞予測情報を作成するための処理を行う処理部２１を有する。なお、前記データ部１２は、交通情報データベース１３及びリンクグループデータベース１４を備える。
【００２４】
そして、前記交通情報データベース１３は、例えば、ＶＩＣＳ（Ｒ）と称される道路交通情報通信システムにおいて、警察、日本道路公団等の交通管制システムの情報を収集して作成した道路の渋滞等に関する情報や交通規制情報等の道路交通情報を格納する。この場合、過去に作成された道路の渋滞等に関する情報も統計的渋滞情報として蓄積される。さらに、前記交通情報データベース１３は、祭り、パレード、花火大会等のイベントの開催予定場所、予定日時等のイベント予定情報、例えば、駅周辺や大型商業施設周辺の道路には週末を除く毎日の特定時刻に渋滞が発生するとか、海水浴場周辺の道路には夏季休暇時期に渋滞が発生する等の統計的渋滞情報や渋滞予測情報も格納する。この場合、該統計的渋滞情報や渋滞予測情報は、後述されるＶＩＣＳ（Ｒ）リンクに対応付けられていることが望ましい。さらに、前記交通情報データベース１３は、あらかじめ登録された多数の操作者から提供された情報を格納するものであってもよい。この場合、該情報は、例えば、道路の渋滞等に関する道路渋滞情報、警察による交通取り締まりに関する交通取り締まり情報、道路工事、建築工事等による交通規制情報等の道路交通情報に関する詳細情報である。該詳細情報は、道路渋滞情報の場合、渋滞の実際の長さ、渋滞の原因、渋滞解消の見込まれる時刻等であり、交通取り締まり情報の場合、速度違反取り締まり、駐車違反取り締まり等の取り締まりの種類、場所、曜日、時間帯等であり、交通規制情報の場合、道路工事、建築工事等の継続期間、通行止め、片側交互通行、車線規制等の交通規制の種類、交通規制の時間帯等である。さらに、前記交通情報データベース１３は、過去において蓄積されたリンク旅行時間パターンも格納する。
【００２５】
また、前記リンクグループデータベース１４は、交通情報を提供するために必要なリンクに関する情報を格納する。ここで、リンクとは、道路を構成する単位であり、通常、三叉（さ）路以上の交差点を境界にして区切られている。なお、該交差点は、交通信号灯器の設置されている交差点だけでなく交通信号灯器の設置されていない交差点も含むものである。そのため、一本の道路におけるリンクの数は一定でない。なお、道路の行政道路属性が変化する点もリンクの境界として取り扱われる。そして、通常のナビゲーション装置においては、道路を構成するそれぞれのリンク、すなわち、道路リンクを識別する識別番号としての道路リンクＩＤが付与される。
【００２６】
そして、前記ＶＩＣＳ（Ｒ）による交通情報であるＶＩＣＳ（Ｒ）情報には、種別情報、位置、渋滞区間の距離、渋滞度等の情報とともに、ＶＩＣＳ（Ｒ）リンクＩＤが含まれる。該ＶＩＣＳ（Ｒ）リンクＩＤは、道路を所定の交差点毎に分割して規格化された走行案内用リンクとしてのＶＩＣＳ（Ｒ）リンクに付与された識別番号である。なお、前記ＶＩＣＳ（Ｒ）情報には、各ＶＩＣＳ（Ｒ）リンクにおける始点及び終点の座標、始点から終点までの距離等の情報も含まれている。
【００２７】
ここで、前記道路リンクとＶＩＣＳ（Ｒ）リンクとは同一のものではない（一般的には、道路リンクの方がＶＩＣＳ（Ｒ）リンクよりも細分化されている。）。そこで、通常のＶＩＣＳ（Ｒ）機能を備えるナビゲーション装置においては、道路リンクＩＤと前記ＶＩＣＳ（Ｒ）リンクＩＤとの間の変換テーブル（対照表）を有し、前記ＶＩＣＳ（Ｒ）リンクＩＤに基づいて、対応する道路リンクＩＤを特定することができるようになっている。そのため、前記車載装置３１がナビゲーション装置のように前記変換テーブルを有するものである場合には、前記情報提供サーバ１１からＶＩＣＳ（Ｒ）リンクＩＤを受信すると、該ＶＩＣＳ（Ｒ）リンクＩＤに基づいてＶＩＣＳ（Ｒ）情報を表示すべき道路の区間を特定することができる。
【００２８】
ところが、前記車載装置３１が前記変換テーブルを有するものでない場合には、前記ＶＩＣＳ（Ｒ）リンクＩＤに基づいて前記道路の区間を特定することができなくなってしまう。そこで、リンクグループデータベース１４には、前記変換テーブルも格納されている。これにより、前記ＶＩＣＳ（Ｒ）リンクＩＤを前記車載装置３１において使用されている道路リンクＩＤに変換して、ＶＩＣＳ（Ｒ）情報を送信することができる。また、前記車載装置３１が後述される地図データベース等を有しておらず、地図を作成することができないものである場合には、情報提供サーバ１１において、画面に表示される地図を画像情報として作成し、該画像情報を前記車載装置３１に送信して、該車載装置３１の表示装置に前記画像情報に基づく画像を表示させるようになっている。この場合、前記リンクグループデータベース１４に格納されている変換テーブルを使用し、ＶＩＣＳ（Ｒ）リンクＩＤに対応する道路の区間を特定する。
【００２９】
また、前記データ部１２は、細街路も含めたすべての道路、例えば、日本全国のすべての道路に関するデータを格納することが望ましい。ここで、前記道路に関するデータには、交差点データ、ノードデータ、道路データ、交通規制データ及び経路表示データも格納されている。そして、前記交差点データには、データが格納されている交差点の数に加え、それぞれの交差点に関するデータが交差点データとして、識別するための番号が付与されて格納されている。さらに、それぞれの前記交差点データには、該当する交差点に接続する道路、すなわち、接続道路の数に加え、それぞれの接続道路を識別するための番号が付与されて格納されている。なお、前記交差点データには、交差点の種類、すなわち、交通信号灯器の設置されている交差点であるか又は交通信号灯器の設置されていない交差点であるかの区別が含まれていてもよい。また、前記ノードデータは、前記地図データファイルに記録された地図データにおける少なくとも道路の位置及び形状を構成するものであり、実際の道路の分岐点（交差点、Ｔ字路等を含む）、ノード、及び、各ノード間を連結するリンクを示すデータから成る。さらに、前記ノードは、少なくとも道路の屈曲点の位置を示す。
【００３０】
また、前記データ部１２には、データが格納されている道路の数に加え、それぞれの道路に関するデータが道路データとして、識別するための番号が付与されて格納されている。そして、それぞれの前記道路データには、道路種別、それぞれの道路の長さとしての距離、それぞれの道路を走行するのに要する時間としての旅行時間等が格納されている。さらに、前記道路種別には、国道、県道、主要地方道、一般道、高速道路等の行政道路属性が含まれる。
【００３１】
なお、前記道路データには、道路自体について、幅員、勾（こう）配、カント、高度、バンク、路面の状態、中央分離帯があるか否か、道路の車線数、該車線数の減少する地点、幅員の狭くなる地点等のデータが含まれることが望ましい。そして、高速道路や幹線道路の場合、対向方向の車線のそれぞれが別個の道路データとして格納され、二条化道路として処理される。例えば、片側二車線以上の幹線道路の場合、二条化道路として処理され、上り方向の車線と下り方向の車線は、それぞれ、独立した道路として道路データに格納される。さらに、コーナについては、曲率半径、交差点、Ｔ字路、コーナの入口等のデータが含まれることが望ましい。また、踏切、高速道路出入口ランプウェイ、高速道路の料金所、降坂路、登坂路等の道路属性が含まれていてもよい。
【００３２】
さらに、前記データ部１２は、地図情報格納する図示されない地図データベース、図示されないＰＯＩ（Ｐｏｉｎｔ  ｏｆ  Ｉｎｔｅｒｅｓｔ）データベース、図示されない道路データベース等を有することが望ましい。ここで、前記地図データベースは、地図を描画するためのノード、リンク、座標、施設名称等の地図情報を格納する。また、前記ＰＯＩデータベースは、出発地、目的地、通過点等となる地点を検索するための施設データ、タウンページデータ、イベントデータ等を格納する。なお、前記ＰＯＩデータベースは施設や地域に関する詳細情報を含むものであってもよい。例えば、前記施設がレストラン、食堂等の飲食店である場合、前記詳細情報は、営業する曜日、営業時間、電話番号、メニュー、値段、味、サービスの良否、店内の雰囲気、駐車場の有無等であり、前記施設がコンビニエンスストア、百貨店、ホームセンタ、スーパーマーケット等の商業施設である場合、前記詳細情報は、営業する曜日、営業時間、電話番号、品揃（ぞろ）え、値段、バーゲンセール（特売）の期間、バーゲンセールの対象商品、サービスの良否、店内の雰囲気、駐車場の有無、催し物やイベントの種類及び期間等であり、前記施設がテーマパーク、ゲームセンタ、映画館、劇場等の娯楽施設である場合、前記詳細情報は、営業する曜日、営業時間、電話番号、施設の内容、値段、サービスの良否、雰囲気、駐車場の有無、催し物やイベントの種類及び期間等である。
【００３３】
そして、前記交通情報データベース１３及びリンクグループデータベース１４等が格納される情報提供サーバ１１の記憶手段は、情報提供サーバ１１の内部記憶媒体であってもよいし、外部記憶媒体であってもよい。この場合、前記内部記憶媒体及び外部記憶媒体は、磁気テープ、磁気ディスク、磁気ドラム、ＣＤ−ＲＯＭ、ＣＤ−Ｒ／ＲＷ、ＭＤ、ＤＶＤ−ＲＯＭ、ＤＶＤ−ＲＡＭ、ＤＶＤ−Ｒ／ＲＷ、光ディスク、ＭＯ、ＩＣカード、光カード、メモリカード、棒状メモリ等いかなる種類のものであってもよい。
【００３４】
また、前記処理部２１は、入力処理部２２、検索処理部２３、探索処理部２４、表示処理部２５及び予測処理部２６を備える。ここで、前記入力処理部２２は、前記車載装置３１から受信したＤＲＧ用のデータの配信要求、施設や地点のデータの配信要求等を入力する入力処理を行う。また、前記検索処理部２３は、前記車載装置３１から受信した検索要求に含まれる検索条件等に基づいて、施設や地点を検索するＰＯＩ検索処理を行う。さらに、前記探索処理部２４は、目的地までの複数本の経路を探索し、各経路における各リンクの通過開始時刻を算出する。さらに、前記表示処理部２５は、作成された渋滞予測情報を表示するための表示処理を行う。さらに、前記予測処理部２６は、経路が都市高速道路を通過する場合、該都市高速道路を分割したグループ毎に渋滞予測情報を作成する。
【００３５】
これにより、前記情報提供サーバ１１は、通過の可能性のあるすべての経路を探索し、それぞれの経路に関する精度の高い渋滞予測情報を作成して前記車載装置３１に配信することができる。
【００３６】
また、前記情報提供サーバ１１は、車載装置３１と通信を行うための通信部１７を有する。該通信部１７は、経路の探索要求、渋滞予測情報の配信要求等を受信すると、該配信要求を送信した車載装置３１を特定し、前記処理部２１によって作成された配信用のデータを特定した前記車載装置３１に送信する。
【００３７】
次に、前記構成のナビゲーションシステムの動作について説明する。まず、情報提供サーバ１１が予測リンク旅行時間パターンを作成する動作について説明する。
【００３８】
図３は本発明の実施の形態における短期の予測リンク旅行時間パターンを作成する動作を示す第１の図、図４は本発明の実施の形態における短期の予測リンク旅行時間パターンを作成する動作を示す第２の図、図５は本発明の実施の形態における長期の予測リンク旅行時間パターンを作成する動作を示す図である。
【００３９】
本実施の形態において、予測処理部２６は短期及び長期の予測リンク旅行時間パターンを作成することができる。まず、短期の予測リンク旅行時間パターンを作成する場合、前記予測処理部２６は、現況のフィードバックを行って予測リンク旅行時間パターンを作成する。すなわち、車載装置３１から受信した現在の車両の走行状況に基づいて、パターンマッチング、波形補正等の方法によって予測リンク旅行時間パターンを作成する。ここで、短期の予測リンク旅行時間パターンを作成する場合の予測期間は、例えば、現在時刻から約二時間後までの期間であるが、任意に設定することができる。
【００４０】
まず、パターンマッチングの方法によって予測リンク旅行時間パターンを作成する場合について説明する。この場合、前記予測処理部２６は、車載装置３１から受信した該車載装置３１が搭載されている車両の状況を示すデータに基づいて、図３（ａ）に示されるように、現在時刻までの過去の所定期間における前記車両のリンク旅行時間パターンを作成する。なお、前記過去の所定期間は、例えば、当日の午前零時から現在時刻までの期間であるが、任意に設定することができる。また、図３（ａ）に示されるリンク旅行時間パターンにおいて、横軸は時刻、縦軸は総旅行時間を示している。
【００４１】
続いて、前記予測処理部２６は、交通情報データベース１３にアクセスして、作成された前記リンク旅行時間パターンと、図３（ｂ）に示されるような前記交通情報データベース１３にあらかじめ格納されている過去におけるリンク旅行時間パターンとを比較して、パターンマッチングを行う。なお、図３（ｂ）に示されるリンク旅行時間パターンは、図３（ａ）に示されるリンク旅行時間パターンと同様に、一日における総旅行時間の変化を示している。そして、前記予測処理部２６は、パターンマッチングの結果、前記交通情報データベース１３にあらかじめ格納されている過去におけるリンク旅行時間パターンの中から、横軸の範囲が原点から現在時刻までの範囲におけるリンク旅行時間パターンが作成された前記リンク旅行時間パターンに最も近似しているものを抽出する。
【００４２】
続いて、前記予測処理部２６は、抽出した過去におけるリンク旅行時間パターンから現在時刻以降の前記予測期間におけるリンク旅行時間パターンを切り出し、リンク旅行時間パターンとする。これにより、図３（ｃ）に示されるように、図３（ａ）に示されるリンク旅行時間パターンを含む予測リンク旅行時間パターンを得ることができる。
【００４３】
次に、波形補正の方法によって予測リンク旅行時間パターンを作成する場合について説明する。この場合、前記予測処理部２６は、前記交通情報データベース１３にあらかじめ格納されている過去における平均的なリンク旅行時間パターンを使用する。図４（ａ）における点Ａは、車載装置３１から受信した該車載装置３１が搭載されている車両の現在時刻における状況を示す点であり、図４（ａ）における線Ｂは、過去における平均的なリンク旅行時間パターンを示している。なお、図４（ａ）に示されるリンク旅行時間パターンにおいて、横軸は時刻、縦軸は総旅行時間を示している。
【００４４】
続いて、前記予測処理部２６は、線Ｂを点Ａに合致するように補正して、リンク旅行時間パターンを作成する。この場合、図４（ｂ）に示されるように、過去における平均的なリンク旅行時間パターンを等比的に変化させて、線Ｃで示されるような予測リンク旅行時間パターンを作成することができる。すなわち、点Ａに対応する時刻における線Ｂの示す総旅行時間の値を前記点Ａの示す総旅行時間の値に変更する。そして、点Ａに対応する時刻における変更前の値に対する変更後の値の比に従って、すべての時刻範囲において線Ｂの示す総旅行時間の値を変更する。これにより、すべての時刻範囲において線Ｂの示す総旅行時間の値が、点Ａに対応する時刻における変更前の値に対する変更後の値の比に等しい比で変更され、図４（ｂ）において線Ｃで示されるような予測リンク旅行時間パターンを作成することができる。
【００４５】
また、図４（ｃ）に示されるように、過去における平均的なリンク旅行時間パターンを垂直方向に平行移動させて、線Ｃで示されるような予測リンク旅行時間パターンを作成することができる。すなわち、点Ａに対応する時刻における線Ｂの示す総旅行時間の値を前記点Ａの示す総旅行時間の値に変更する。そして、点Ａに対応する時刻における変更前の値に対する変更後の値の差に従って、すべての時刻範囲において線Ｂの示す総旅行時間の値を変更する。これにより、すべての時刻範囲において線Ｂの示す総旅行時間の値が、点Ａに対応する時刻における変更前の値に対する変更後の値の差に等しい値だけ変更され、図４（ｃ）において線Ｃで示されるような予測リンク旅行時間パターンを作成することができる。
【００４６】
また、図４（ｄ）に示されるように、過去における平均的なリンク旅行時間パターンを履歴に従って傾斜させて、線Ｃで示されるような予測リンク旅行時間パターンを作成することができる。この場合、点Ａ及び前記車両の現在時刻以前における状況を示す点ＡＡを通過するように線Ｂ全体を傾斜させる。これにより、図４（ｄ）において線Ｃで示されるような予測リンク旅行時間パターンを作成することができる。
【００４７】
次に、長期の予測リンク旅行時間パターンを作成する場合、前記予測処理部２６は、現況のフィードバックを行わずに予測リンク旅行時間パターンを作成する。すなわち、交通情報データベース１３に格納されている過去のリンク旅行時間パターンを統計的に分析して、予測リンク旅行時間パターンを作成する。ここで、長期の予測リンク旅行時間パターンを作成する場合の予測期間は、例えば、現在時刻から約二時間後以降の期間であるが、任意に設定することができる。
【００４８】
まず、前記予測処理部２６は、交通情報データベース１３にアクセスして、図５（ａ）に示されるような該交通情報データベース１３にあらかじめ格納されている過去におけるリンク旅行時間パターンを取得する。なお、図５（ａ）に示されるリンク旅行時間パターンは、一日における総旅行時間の変化を示しているものであり、前記交通情報データベース１３に格納されているすべてのリンク旅行時間パターン、すなわち、全日の変動を示している。また、図５（ａ）に示されるリンク旅行時間パターンにおいて、横軸は時刻、縦軸は総旅行時間を示している。
【００４９】
続いて、前記予測処理部２６は、図５（ａ）に示されるリンク旅行時間パターンをカレンダに従って場合分けする。ここでは、図５（ｂ）に示されるように、平日におけるリンク旅行時間パターンと休日におけるリンク旅行時間パターンとに場合分けする。すなわち、平日の変動と休日の変動とに場合分けする。なお、休日は、土曜日、日曜日及び祝祭日であり、平日はその他の日である。また、例えば、ゴールデンウィーク、夏期休暇、年末年始等の特定の日又は期間におけるリンク旅行時間パターンだけを抽出することもできる。さらに、前記リンク旅行時間パターンから異常値を除去することによって、データのばらつきを低減することもできる。
【００５０】
続いて、前記予測処理部２６は、カレンダに従って場合分けされたリンク旅行時間パターンを天候、イベント、規制等の事象に応じて場合分けする。ここでは、図５（ｃ）及び（ｄ）に示されるように、天候に応じた場合分けでは、天気別の変動として、晴天におけるリンク旅行時間パターン、降雨におけるリンク旅行時間パターン及び降雪におけるリンク旅行時間パターンに場合分けする。これにより、車載装置３１が搭載されている車両の状況に応じた予測リンク旅行時間パターンを得ることができる。
【００５１】
なお、リンク旅行時間は各リンクを通過するための所要時間であり、かつ、各リンクの長さはリンクグループデータベース１４に格納されているので、各リンクにおけるリンク旅行時間から各リンクにおける旅行速度を算出することができる。したがって、前記予測リンク旅行時間パターンに基づいて、予測速度パターンを得ることができる。また、ＶＩＣＳ（Ｒ）情報における渋滞情報としての渋滞度は、道路種別及び旅行速度に応じて、「渋滞」、「混雑」及び「渋滞なし」と定義されているので、各リンクにおけるリンク旅行時間から各リンクにおける渋滞情報を得ることができる。したがって、前記予測リンク旅行時間パターンに基づいて、渋滞予測情報を得ることができる。
【００５２】
次に、ＤＲＧ用の配信データを作成して配信する基本的な動作について説明する。
【００５３】
図６は本発明の実施の形態における配信されるＤＲＧ用のデータの基本的な概念を説明する図である。
【００５４】
本実施の形態において、情報提供サーバ１１は、車載装置３１から受信したＤＲＧ用のデータの配信要求に含まれる現在位置、目的地、探索条件等に基づいて、前記現在位置を出発地として目的地までの経路を探索する探索処理を行う。そして、前記情報提供サーバ１１は、複数本の経路を探索して、車両がそれぞれの経路における各リンクを通過する予測通過時刻を予測リンク旅行時間パターンに基づいて算出し、予測通過時刻における予測交通情報を作成し、ＤＲＧ用の配信データを前記車載装置３１に配信するようになっている。すなわち、通常の経路探索においても最も推奨される経路である推奨経路と、該推奨経路の代替えとなり得る経路である代替え経路とを探索し、前記推奨経路及び代替え経路上の各リンクの渋滞を予測し、渋滞予測情報等のデータを車載装置３１に送信する。これにより、該車載装置３１は、受信したデータを使用してＤＲＧを行って、渋滞を回避する経路を探索することができる。
【００５５】
ここで、図６に示されるように、出発地４１から目的地４２まで高速道路を優先することを探索条件として経路を探索した場合に、二本の経路４３及び経路４４が探索されたものとする。例えば、経路４３が推奨経路であり、経路４４が代替え経路であるとする。そして、前述したようにして作成された予測リンク旅行時間パターンに基づいて、前記経路４３及び経路４４上における渋滞の発生を予測し、渋滞の発生が予測される地域については渋滞予測情報を作成する。なお、該渋滞予測情報の基準時刻は、前記渋滞の発生が予測される地域に車両が通過するであろう時刻、すなわち、車両の通過予測時刻である。そして、前記基準時刻は、前記経路４３及び経路４４上のリンクにおける車両の通過予測時刻に応じてずらしながら、すなわち、スライドさせながら設定される。
【００５６】
図６に示される例において、経路４３上では地域４５ａ及び地域４５ｂにおいて渋滞の発生が予測されている。そして、前記地域４５ａについては車両の通過予測時刻である１０時００分における渋滞予測情報が作成され、前記地域４５ｂについては車両の通過予測時刻である１１時００分における渋滞予測情報が作成される。また、経路４４上では地域４６ａ及び地域４６ｂにおいて渋滞の発生が予測されている。そして、前記地域４６ａについては車両の通過予測時刻である１０時３０分における渋滞予測情報が作成され、前記地域４６ｂについては車両の通過予測時刻である１１時３０分における渋滞予測情報が作成される。
【００５７】
そして、探索された前記経路４３及び経路４４のデータ、地域４５ａ、地域４５ｂ、地域４６ａ及び地域４６ｂについての渋滞予測情報を含むデータが、ＤＲＧ用のデータとして、情報提供サーバ１１から車載装置３１に配信される。これにより、該車載装置３１は、受信したＤＲＧ用のデータを使用してＤＲＧを行うことができ、渋滞を回避する経路を探索することができる。また、目的地４２への到着予測時刻を正確に算出することができる。
【００５８】
次に、本実施の形態におけるナビゲーションシステムの動作を詳細に説明する。なお、ここでは、説明の都合上、目的地までの経路が都市高速道路である場合の動作について説明する。
【００５９】
図１は本発明の実施の形態における都市高速道路を複数のグループに分割する例を示す図、図７は本発明の実施の形態におけるリンクグループテーブルの例を示す図、図８は本発明の実施の形態におけるグループ毎に設定された基準時刻の例を示す図、図９は本発明の実施の形態における複数のグループを通過する経路の例を示す図、図１０は本発明の実施の形態における経路が通過するグループと基準時刻との関係の例を示す図、図１１は本発明の実施の形態における情報提供サーバの動作を示すフローチャートである。
【００６０】
まず、操作者は、車載装置３１の入力装置を操作して目的地を設定する。なお、例えば、高速道路優先等のような経路を探索するための探索条件等も必要に応じて設定することができる。続いて、前記操作者が車載装置３１の入力装置を操作して、ＤＲＧ用のデータの配信要求を情報提供サーバ１１に送信するための手段を操作する。すると、前記車載装置３１は、ＤＲＧ用のデータの配信要求として現在位置、目的地、探索条件等を情報提供サーバ１１に送信する。
【００６１】
続いて、該情報提供サーバ１１は、前記車載装置３１からＤＲＧ用のデータの配信要求として現在位置、目的地、探索条件等を受信すると、前記現在位置、目的地、探索条件等に基づいて、現在位置から目的地までの推奨経路を探索する。この場合、都市高速道路を通る経路が推奨経路として探索されたものとする。なお、前記都市高速道路は、首都、阪神、名古屋、福岡・北九州等の地域において供用に付されているが、ここでは、首都高速道路であるものとして説明する。
【００６２】
続いて、前記情報提供サーバ１１は、前記推奨経路の代替え経路を探索する。そして、代替え経路がｎ本存在する場合には、ｎ回繰り返して代替え経路を探索する。なお、ｎは自然数である。また、必要に応じてｎの上限値を設定することもできる。すなわち、代替え経路を探索する回数を制限することもできる。
【００６３】
ここで、前記都市高速道路は、あらかじめ複数のグループに分割されている。該グループの分割の仕方や数は任意に設定することができるが、本実施の形態においては、図１に示されるように、（１）〜（６）で示される範囲に含まれる六つのグループ、すなわち、グループ１〜グループ６に分割されているものとして説明する。そして、グループ１〜グループ６に含まれる道路を構成するリンクがどのグループに含まれるかを示すリンクグループテーブルが、図７に示されるように、あらかじめ作成され、リンクグループデータベース１４に格納されている。前記リンクグループテーブルは、各グループに登録されたリンクを示すテーブルである。なお、図７において、リンク１０、リンク１１、リンク１２等は、それぞれのリンクを識別するための道路リンクＩＤである。
【００６４】
続いて、前記情報提供サーバ１１は、探索した推奨経路又は代替え経路が、前記グループを通過するか否か、すなわち、前記リンクグループテーブルに示されるような各グループに登録されたリンクを通過するか否かを判断する。そして、リンクを通過する場合、前記情報提供サーバ１１は、通過するグループ毎に基準時刻を分けて予測交通情報としての渋滞予測情報を作成する。ここで、該渋滞予測情報の基準時刻はグループ毎に定められ、同一のグループに登録されたすべてのリンクについて、同一の基準時刻で渋滞予測情報が作成される。この場合、前記基準時刻は、推奨経路上において前記グループに最初に進入する時刻、すなわち、推奨経路上おける前記グループの入口に該当するノードから始まるリンクの通過開始時刻である。
【００６５】
図８に示されるように、探索された推奨経路が５１であり、該推奨経路５１がグループ１を通過する例について説明する。なお、出発地は図８の左方であり、また、目的地は図８の右方であり、車両は前記推奨経路５１を、図８において左から右に進行するものとする。そして、５２−１〜５２−４は、前記推奨経路５１を構成するリンクである。また、５３−１〜５３−４は、前記推奨経路５１上のノードである。なお、５２−５〜５２−７は、ノード５３−２において前記推奨経路５１から分岐する道路を構成するリンクであり、５３−５及び５３−６は前記推奨経路５１から分岐する道路上のノードである。そして、各リンクにおける車両の進行方向は矢印の示す方向である。また、リンク５２−３〜リンク５２−７がグループ１に登録されたリンクであり、リンク５２−１及びリンク５２−２は、グループ１の外側に存在するリンクである。
【００６６】
図８に示される例において、ノード５３−２が推奨経路５１上におけるグループ１の入口に該当する。したがって、ノード５３−２への到着時刻、すなわち、ノード５３−２から始まるリンク５２−３の通過開始時刻がグループ１の基準時刻となる。例えば、前記ノード５３−２への到着時刻が１０時００分であるとすると、推奨経路５１を構成するリンクであってグループ１に登録されたリンク５２−３及びリンク５２−４における渋滞予測情報は、１０時００分を基準時刻として作成される。また、グループ１に登録された他のすべてのリンク、すなわち、リンク５２−５〜リンク５２−７における渋滞予測情報も、１０時００分を基準時刻として作成される。グループ１に登録されたすべてのリンクについて、同一の基準時刻で渋滞予測情報が作成される。
【００６７】
続いて、前記情報提供サーバ１１は、探索した経路が通過するグループとの関連があらかじめ定義されているグループの渋滞予測情報を作成する。
【００６８】
ところで、探索した経路が複数のグループを通過する場合に、前記経路が通過するグループについてだけ渋滞予測情報を作成して車載装置３１に配信すると、該車載装置３１は他のグループについては渋滞がないものと判断して、他のグループを通過する経路を渋滞を回避する経路として選択してしまうことが考えられる。図９に示されるように、探索された経路が５５であり、該経路５５がグループ６を出発して、グループ１を経由して、グループ３に到着する経路であるとする。そして、前記情報提供サーバ１１が経路５５が通過するグループ１、グループ３及びグループ６についての渋滞予測情報を作成し、他のグループについての渋滞予測情報を作成しないとすると、車載装置３１には、グループ１、グループ３及びグループ６についての渋滞予測情報が配信され、他のグループについての渋滞予測情報されないことになる。すると、車載装置３１は他のグループについては渋滞がないものと判断して、例えば、図９において５６で示されるような経路を選択することが考えられる。一般に、首都高速道路のような都市高速道路は、道路網が発達し分岐点及び合流点が多いので、多様な経路の選択の仕方が可能であるため、経路５６のように情報提供サーバ１１が探索した経路５５が通過しないグループを通過する経路を選択することが考えられる。
【００６９】
このような問題を防止するため、本実施の形態においては、探索した経路が複数のグループを通過する場合に、渋滞予測情報を作成して車載装置３１に配信することが必要なグループの関連が、通過順序に応じてあらかじめ定義されている。また、前記経路が通過しないグループについては、渋滞予測情報の基準時刻を決定することができないので、前記経路が通過するグループについての基準時刻を使用するようになっている。例えば、図９に示される例において、経路５５が通過しないグループ２については、経路５５が通過するグループ３についての基準時刻を使用して渋滞予測情報を作成する。
【００７０】
図１０には、渋滞予測情報を作成する必要があるグループの関連を定義する関連グループテーブルの例が示されている。該関連グループテーブルにおいては、グループの通過順序毎に、渋滞予測情報を作成するグループ及び同一の基準時刻を使用するグループが定義付けられている。そして、前記関連グループテーブルは、あらかじめ作成され、リンクグループデータベース１４に格納されている。
【００７１】
例えば、前記関連グループテーブルの上から第一番目では、探索した経路がグループ１を出発してグループ２に到着するとき、グループ１、グループ２及びグループ３について渋滞予測情報を作成し、グループ２及びグループ３については同一の基準時刻を使用して渋滞予測情報を作成することが定義されている。なお、グループ１については、該グループ１に最初に進入する時刻、すなわち、出発時刻を基準時刻とする。
【００７２】
また、前記関連グループテーブルの上から第二番目では、探索した経路がグループ１を出発してグループ３に到着するとき、グループ１、グループ２、グループ３及びグループ４について渋滞予測情報を作成し、グループ２、グループ３及びグループ４については同一の基準時刻を使用して渋滞予測情報を作成することが定義されている。なお、グループ１については、該グループ１に最初に進入する時刻、すなわち、出発時刻を基準時刻とする。
【００７３】
さらに、前記関連グループテーブルの上から第三番目では、探索した経路がグループ６を出発してグループ３に到着するとき、グループ１、グループ２、グループ３、グループ４及びグループ６について渋滞予測情報を作成し、グループ１及びグループ２については同一の基準時刻を使用して渋滞予測情報を作成することが定義され、また、グループ３及びグループ４については同一の基準時刻を使用して渋滞予測情報を作成することが定義されている。例えば、図９に示される例において、経路５５上においてグループ１に最初に進入する時刻が１０時００分であり、グループ３に最初に進入する時刻が１０時３０分である場合、グループ１及びグループ２については１０時００分を基準時刻とし、グループ３及びグループ４については１０時３０分を基準時刻とする。なお、グループ６については、該グループ６に最初に進入する時刻、すなわち、出発時刻を基準時刻とする。
【００７４】
続いて、前記情報提供サーバ１１は、作成された渋滞予測情報を前記車載装置３１に配信して、処理を終了する。また、探索した経路が各グループに登録されたリンクを通過するか否かを判断して、リンクを通過しない場合、すなわち、前記グループのいずれをも通過しない場合、前記情報提供サーバ１１は、各経路上のリンクの通過開始時刻を基準時刻として渋滞予測情報を作成する。すなわち、図６において説明した例と同様にして渋滞予測情報を作成する。そして、作成された渋滞予測情報を前記車載装置３１に配信して、処理を終了する。
【００７５】
なお、前記車載装置３１は、前記情報提供サーバ１１から配信された渋滞予測情報を受信すると、ＤＲＧを行い渋滞を避ける経路を探索する。
【００７６】
ところで、本実施の形態におけるナビゲーションシステムは、目的地までの経路が都市高速道路でない場合にも同様の動作を行うことができる。この場合、都市高速道路を分割したグループに代えて、行政区域単位のエリア、地図データを分割した地図メッシュ単位のエリア等のエリアを使用する。そのため、前記リンクグループテーブルは、所定のエリア毎に登録されたリンクを示すものとなる。そして、探索処理部２４は、探索した経路が前記エリアを通過する場合、該エリアを通過する時刻を基準時刻として算出する。さらに、予測処理部２６は、前記エリア毎に、交通情報に基づいて、基準時刻における予測交通情報としての渋滞予測情報を作成する。
【００７７】
次に、フローチャートについて説明する。
ステップＳ１  現在位置から目的地までの推奨経路を探索する。
ステップＳ２  推奨経路の代替え経路を探索する。代替え経路がｎ本存在する場合には、ｎ回繰り返して代替え経路を探索する。
ステップＳ３  各グループに登録されたリンクを通過するか否かを判断する。各グループに登録されたリンクを通過する場合はステップＳ４に進み、グループに登録されたリンクを通過しない場合はステップＳ７に進む。
ステップＳ４  通過するグループ毎に基準時刻を分けて渋滞予測情報を作成する。
ステップＳ５  通過するグループとの関連があらかじめ定義されているグループの渋滞予測情報を作成する。
ステップＳ６  渋滞予測情報を車載装置３１に配信して、処理を終了する。
ステップＳ７  各経路上のリンクの通過開始時刻を基準時刻として渋滞予測情報を作成する。
【００７８】
このように、本実施の形態において、情報提供サーバ１１は、目的地までの複数本の経路を探索し、該経路が複数に分割された都市高速道路のグループを通過する場合、前記経路が通過するグループ毎に渋滞予測情報を作成し、車載装置３１に配信するようになっている。そして、探索した経路が複数のグループを通過する場合、通過順序に応じてあらかじめ定義されて関連するグループについても渋滞予測情報を作成し、車載装置３１に配信するようになっている。
【００７９】
そのため、前記車載装置３１は、道路網が発達して分岐点及び合流点が多い都市高速道路を通過する場合であっても、通過する可能性のあるすべての経路について精度の高い渋滞予測情報を使用することができるので、渋滞を回避する適切な経路を探索することができる。また、目的地への到着予測時刻を正確に算出することができる。
【００８０】
従来のシステムにおいて、情報センタのサーバは、探索された推奨経路及び代替え経路上の各リンクの渋滞予測情報を作成して、ナビゲーション装置に配信し、該ナビゲーション装置が受信した渋滞予測情報を使用して渋滞を回避する経路を探索するよになっている。そのため、都市間高速道路を通過する場合、ナビゲーション装置は渋滞を回避する経路を探索することができる。ところが、道路網が発達して分岐点及び合流点が多い都市高速道路を通過する場合には、多様な経路を選択することが可能なので、前記サーバが複数の経路について渋滞予測情報を作成して配信しても、ナビゲーション装置は、前記サーバが渋滞予測情報を作成しなかった経路を渋滞が予測されない経路として選択してしまう。しかし、前記サーバが渋滞予測情報を作成しなかった経路にも渋滞が発生する可能性が高いので、ナビゲーション装置が選択した経路は、所要時間の長い不適切な経路である可能性が高くなるという問題があった。
【００８１】
本実施の形態においては、このような従来のシステムにおける問題が発生することなく、通過する可能性のあるすべての経路について渋滞予測情報を車載装置３１に配信することができるので、道路網が発達して分岐点及び合流点が多い都市高速道路を通過する場合であっても、前記車載装置３１は、渋滞を回避する適切な経路を探索することができ、さらに、目的地への到着予測時刻を正確に算出することができる。
【００８２】
なお、本発明は前記実施の形態に限定されるものではなく、本発明の趣旨に基づいて種々変形させることが可能であり、それらを本発明の範囲から排除するものではない。
【図面の簡単な説明】
【００８３】
【図１】本発明の実施の形態における都市高速道路を複数のグループに分割する例を示す図である。
【図２】本発明の実施の形態におけるナビゲーションシステムの構成を示す図である。
【図３】本発明の実施の形態における短期の予測リンク旅行時間パターンを作成する動作を示す第１の図である。
【図４】本発明の実施の形態における短期の予測リンク旅行時間パターンを作成する動作を示す第２の図である。
【図５】本発明の実施の形態における長期の予測リンク旅行時間パターンを作成する動作を示す図である。
【図６】本発明の実施の形態における配信されるＤＲＧ用のデータの基本的な概念を説明する図である。
【図７】本発明の実施の形態におけるリンクグループテーブルの例を示す図である。
【図８】本発明の実施の形態におけるグループ毎に設定された基準時刻の例を示す図である。
【図９】本発明の実施の形態における複数のグループを通過する経路の例を示す図である。
【図１０】本発明の実施の形態における経路が通過するグループと基準時刻との関係の例を示す図である。
【図１１】本発明の実施の形態における情報提供サーバの動作を示すフローチャートである。
【符号の説明】
【００８４】
１１    情報提供サーバ
１３    交通情報データベース
１４    リンクグループデータベース
２４    探索処理部
２６    予測処理部
３１    車載装置
４２    目的地
４３、４４、５５、５６    経路
５２−１、５２−２、５２−３、５２−４、５２−５、５２−６、５２−７    リンク
【図１】
2005265722.tif 000003
【図２】
2005265722.tif 000004
【図３】
2005265722.tif 000005
【図４】
2005265722.tif 000006
【図５】
2005265722.tif 000007
【図６】
2005265722.tif 000008
【図７】
2005265722.tif 000009
【図８】
2005265722.tif 000010
【図９】
2005265722.tif 000011
【図１０】
2005265722.tif 000012
【図１１】
2005265722.tif 000013